【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
無線通信システムでアイドルモードを処理する端末の動作方法であって、
アイドルモードの処理中にページング周期の変更のための要請メッセージを基地局に送信する過程と、
前記基地局から変更されるページング情報を含む応答メッセージを受信する過程と、
前記アイドルモードの処理中に受信された情報を基に新しいアイドルモードを処理する過程と、を含むことを特徴とする方法。
【請求項２】
前記アイドルモードの処理中に一定時間の間にトラフィックの発生有無と電力消費側面のうち、少なくとも一つを基にページング周期の変更が必要であるか否かを判断する過程と、
前記ページング周期の変更が必要である場合、前記要請メッセージを送信する過程と、をさらに含むことを特徴とする請求項１に記載の方法。
【請求項３】
前記要請メッセージは、ページング周期の変更を要請する目的指示子及びページング周期情報のうち少なくとも一つを含んでページング周期の変更を要請することを特徴とする請求項１または請求項２に記載の方法。
【請求項４】
前記新しいアイドルモードの処理時に利用されるページング周期は、前記端末が決定して変更を要請したページング周期及び前記基地局で決定されたページング周期のうちいずれか一つであることを特徴とする請求項１ないし請求項３のいずれか一項に記載の方法。
【請求項５】
前記ページング情報は、前記ページング周期、ページングオフセット、ページンググループ識別子のうち、少なくとも一つを含むことを特徴とする請求項１ないし請求項４のいずれか一項に記載の方法。
【請求項６】
前記基地局から位置更新を要求する広告メッセージを受信する過程と、
前記広告メッセージに対する応答として前記ページング周期の変更要請メッセージを送信する過程と、をさらに含むことを特徴とする請求項１または２に記載の方法。
【請求項７】
無線通信システムにおける端末のアイドルモードを処理する基地局の動作方法であって、
アイドルモードを処理中である端末からページング周期の変更のための要請メッセージを受信する過程と、
変更されるページング周期を表すページング情報を含む応答メッセージを前記端末に送信する過程と、
前記ページング情報を基に前記端末のアイドルモードを処理する過程と、を含むことを特徴とする方法。
【請求項８】
同じページング領域内で前記アイドルモードを処理中である端末に対して、一定時間の間にトラフィックの発生有無と資源管理側面のうち、少なくとも一つを基にページング周期の変更が必要であるか否かを検査する過程と、
前記ページング情報を変更するために、応答メッセージにページング情報を含んで前記端末に送信する過程と、をさらに含むことを特徴とする請求項７に記載の方法。
【請求項９】
前記要請メッセージは、ページング周期の変更を要請する目的指示子及びページング周期情報のうち少なくとも一つを含んでページング周期に対する変更を要請することを特徴とする請求項７または請求項８に記載の方法。
【請求項１０】
前記ページング情報は、前記ページング周期、ページングオフセット、ページンググループ識別子のうち、少なくとも一つを含むことを特徴とする請求項７ないし請求項９のいずれか一項に記載の方法。
【請求項１１】
前記アイドルモードを処理中である端末に対して、一定時間の間にトラフィックの発生有無と資源管理側面のうち、少なくとも一つを基にページング周期の変更が必要であるか否かを判断する過程と、
アイドルモードを処理中である端末のページング周期の変更を目的として、端末の要請メッセージの送信を誘導する広告メッセージを送信する過程と、
前記端末から前記要請メッセージを受信する過程と、をさらに含むことを特徴とする請求項７または８に記載の方法。
【請求項１２】
無線通信システムにおけるアイドルモードを処理する端末の装置であって、
アイドルモードの処理中にページング周期の変更条件を確認し、これによって要請メッセージを基地局に送信するように制御し、前記基地局から受信される応答メッセージに含まれたページング情報を確認してアイドルモードを処理する制御部と、
前記制御部の制御によって前記要請メッセージを前記基地局に送信し、前記基地局から応答メッセージを受信して前記制御部に提供する通信モジュールと、を含むことを特徴とする装置。
【請求項１３】
前記制御部は、前記アイドルモードの処理中に一定時間の間にトラフィックの発生有無と電力消費側面のうち、少なくとも一つを基にページング周期の変更が必要であるか否かを判断し、
前記ページング周期の変更が必要である場合、ページング周期の変更を要請する要請メッセージを前記基地局に送信することを特徴とする請求項１２に記載の装置。
【請求項１４】
前記要請メッセージは、ページング周期の変更を要請する目的指示子及びページング周期情報のうち少なくとも一つを含んでページング周期に対する変更を要請することを特徴とする請求項１２または請求項１３に記載の装置。
【請求項１５】
新しいアイドルモードの処理時に利用されるページング周期は、前記端末が決定して変更を要請したページング周期及び前記基地局で決定されたページング周期のうちいずれか一つであることを特徴とする請求項１２ないし請求項１４のいずれか一項に記載の装置。
【請求項１６】
前記ページング情報は、前記ページング周期、ページングオフセット、ページンググループ識別子のうち、少なくとも一つを含むことを特徴とする請求項１２ないし請求項１５のいずれか一項に記載の装置。
【請求項１７】
前記通信モジュールは、前記基地局から位置更新を要求する広告メッセージを受信し、前記制御部の制御によって前記広告メッセージに対する応答として前記ページング周期の変更要請メッセージを送信することを特徴とする請求項１２または１３に記載の装置。
【請求項１８】
無線通信システムにおける端末のアイドルモードを処理する基地局の装置であって、
アイドルモードを処理中である端末からページング周期の変更のための要請メッセージを受信し、変更されるページング周期を表すページング情報を含む応答メッセージを前記端末に送信する通信モジュールと、
前記ページング情報を基に前記端末のアイドルモードを処理する制御部と、を含むことを特徴とする装置。
【請求項１９】
前記制御部は、同じページング領域内で前記アイドルモードを処理中である端末に対して、一定時間の間にトラフィックの発生有無と資源管理側面のうち、少なくとも一つを基にページング周期の変更が必要であるか否かを検査し、
前記通信モジュールは、前記ページング情報を変更するために、応答メッセージにページング情報を含んで前記端末に送信することを特徴とする請求項１８に記載の装置。
【請求項２０】
前記要請メッセージは、ページング周期の変更を要請する目的指示子及びページング周期情報のうち少なくとも一つを含んでページング周期に対する変更を要請することを特徴とする請求項１８または請求項１９に記載の装置。
【請求項２１】
前記ページング情報は、前記ページング周期、ページングオフセット、ページンググループ識別子のうち、少なくとも一つを含むことを特徴とする請求項１８ないし請求項２０のいずれか一項に記載の装置。
【請求項２２】
前記制御部は、アイドルモードを処理中である端末に対して、一定時間の間にトラフィックの発生有無と資源管理側面のうち、少なくとも一つを基にページング周期の変更が必要であるか否かを判断し、
前記通信モジュールは、アイドルモードを処理中である端末のページング周期の変更を目的として、端末の要請メッセージ送信を誘導する広告メッセージを送信し、前記端末から前記要請メッセージを受信することを特徴とする請求項１８または１９に記載の装置。
【請求項２３】
端末のアイドルモードを処理する無線通信システムであって、
端末がアイドルモードの処理中にページング周期の変更のための要請メッセージを基地局に送信する過程と、
前記基地局が変更されるページング情報を含む応答メッセージを前記端末に送信する過程と、
前記端末と基地局が前記アイドルモードの処理中にやりとりした前記ページング情報を基に新しいアイドルモードを処理する過程と、を含むことを特徴とするシステム。
【請求項２４】
前記端末がアイドルモードを処理中に、一定時間の間にトラフィックの発生有無と資源管理側面のうち、少なくとも一つを基にページング周期の変更が必要であるか否かを判断する過程と、
前記端末が前記ページング周期の変更が必要である場合、前記要請メッセージを送信する過程と、さらに含むことを特徴とする請求項２３に記載のシステム。
【請求項２５】
前記要請メッセージは、ページング周期の変更を要請する目的指示子及びページング周期情報のうち少なくとも一つを含んでページング周期に対する変更を要請することを特徴とする請求項２３または請求項２４に記載のシステム。
【請求項２６】
前記新しいアイドルモードの処理時に利用されるページング周期は、前記端末が決定して変更を要請したページング周期及び前記基地局で決定されたページング周期のうちいずれか一つであることを特徴とする請求項２３ないし請求項２５のいずれか一項に記載のシステム。
【請求項２７】
前記ページング情報は、前記ページング周期、ページングオフセット、ページンググループ識別子のうち、少なくとも一つを含むことを特徴とする請求項２３ないし請求項２６のいずれか一項に記載のシステム。
【請求項２８】
前記基地局が前記アイドルモードを処理中である端末に対して、一定時間の間にトラフィックの発生有無と資源管理側面のうち、少なくとも一つを基にページング周期の変更が必要であるか否かを判断する過程と、
前記基地局が位置更新を要求する広告メッセージを前記端末に送信する過程と、
前記端末が前記広告メッセージに対する応答として、前記要請メッセージを前記基地局に送信する過程と、をさらに含むこと特徴とする請求項２３または２４に記載のシステム。